(57)【要約】【課題】構造が簡単で、損傷しにくく、低コストで、使用効果が高く、操作しやすく、排泄物を簡単に捨てられて、携帯に便利な排泄物収集装置及び収集袋収納容器の提供。【解決手段】この収集装置は、長い管からなり、前側端に差込穴、後側端に手持ち部を有する操作ロッド１０と、袋部、リング状フレーム、挿入ロッドからなる収集袋２０とを備え、操作ロッド１０は第一弾性片３０、第二弾性片４０、ボタン５０、ケーブルガイドリング７０、ケーブル６０を有し、収集袋２０は挿入ロッドが操作ロッドの差込穴に挿入され、第一弾性片３０の挟持片に挟持されて操作ロッド１０の前側端に取り付けられる。【選択図】図２
0003185268.tif 000002
【実用新案登録請求の範囲】
【請求項１】
所定の長さを有する長い管からなり、前側端に差込穴を有し、前記前側端から離れる後側端に操作者の持つ手持ち部が連接される操作ロッドと、
袋部と、前記袋部の袋口に固定されるリング状フレーム及び前記リング状フレームから突出される挿入ロッドとからなる愛玩動物用の排泄物収集袋と、
を備え、
前記操作ロッドは差込穴に第一弾性片、後側端の管内に第二弾性片、後側端にボタン、管内に複数のケーブルガイドリング及びケーブルがそれぞれ設けられ、
前記第一弾性片は弾性を有する斜め片で、一端に固定片が延出されて当該固定片が前記差込穴の内側壁に固定され、他端に前記差込穴に導入される前記排泄物収集袋の挿入ロッドを挟持するための挟持片が延出され、
前記第二弾性片は弾性を有する斜め片で、一端に固定片が延出されて当該固定片が前記管の内側壁に固定され、他端に押圧片が延出され、
前記ボタンは上端握り部と下端柱部とからなり、前記下端柱部が前記後側端に設けられる前記貫通穴に貫通されて、前記上端握り部が前記貫通穴の上に突き出され、前記下端柱部が前記貫通穴の下に内蔵されて前記第二弾性片の前記押圧片と接合され、
前記複数のケーブルガイドリングは前記管の互いに対向する壁に交互に設けられ、
前記ケーブルは前記ケーブルガイドリングを貫通されて、一端が前記第一弾性片の前記挟持片と連接され、他端が前記第二弾性片の前記押圧片と連接されて、
前記排泄物収集袋は前記挿入ロッドが前記操作ロッドの前記差込穴に挿入され、前記第一弾性片の前記挟持片に挟持されて、前記操作ロッドの前側端に取り付けられる、
ことを特徴とする愛玩動物の排泄物収集装置。
【請求項２】
前記第一弾性片は前記操作ロッドの前記差込穴に上下対称に２つ設けられ、前記ケーブルは一端が２つの引っ張りケーブルに二分割され、当該２つの引っ張りケーブルは２つの前記ケーブルガイドリングを貫通して前記各第一弾性片の前記挟持片に連接されることを特徴とする請求項１に記載の愛玩動物の排泄物収集装置。
【請求項３】
前記操作ロッドの管内に、前記ケーブルの前記引っ張りケーブルに二分割される部分に近接する二分割されていない部分に対応して、中央に貫通穴を有するケーブルガイドピースが内設され、前記ケーブルガイドピースの貫通穴に、前記ケーブルの前記引っ張りケーブルに二分割される部分に近接する二分割されていない部分が貫通されることを特徴とする請求項２に記載の愛玩動物の排泄物収集装置。
【請求項４】
前記排泄物収集袋の前記リング状フレームから突き出された前記挿入ロッドに、前記第一弾性片の前記挟持片に導入し固定するための位置決めリング状溝が設けられることを特徴とする請求項１に記載の愛玩動物の排泄物収集装置。
【請求項５】
前記第一弾性片の前記挟持片に前記位置決めリング状溝に係合可能な保持部が設けられることを特徴とする請求項４に記載の愛玩動物の排泄物収集装置。
【請求項６】
前記排泄物収集袋の前記袋部は生分解性プラスチックポリ乳酸からなる袋、又は自己分解性を有する紙袋から選択的に採用されることを特徴とする請求項１に記載の愛玩動物の排泄物収集装置。
【請求項７】
前記排泄物収集袋の前記リング状フレームは愛玩動物が無理に開脚する必要のないオーバル形状であることを特徴とする請求項１に記載の愛玩動物の排泄物収集装置。
【請求項８】
請求項１に記載の愛玩動物の排泄物収集装置に用いる排泄物収集袋収納容器であって、複数の前記収集袋を重ねて配置可能に上面に開口を有する円筒形又は樽形に形成され、前記開口内に、前記排泄物収集袋の前記リング状フレームを支持するためのリング状突起をなすプラスチックリングが、相互に対向する位置の一方を前記開口縁部と同じ高さにして高く、他方を前記開口縁部の高さよりも低くして斜めに設けられることを特徴とする排泄物収集袋収納容器。
【請求項９】
請求項１に記載の愛玩動物の排泄物収集装置に用いる排泄物収集袋収納容器であって、複数の前記収集袋を重ねて配置可能に上面に開口を有する円筒形又は樽形に形成され、周壁に、前記収集袋の前記リング状フレームから突き出された前記挿入ロッドを導入するための切り溝が、前記開口の縁部を切り口として開放し、縦方向に、下端を閉塞端として形成されることを特徴とする排泄物収集袋収納容器。
【考案の詳細な説明】
【技術分野】
【０００１】
本考案は、愛玩動物の排泄物収集装置及びこれに用いる排泄物収集袋収納容器に関し、特に、携帯に便利で愛玩動物の排泄物を迅速に収集でき、且つ収集した排泄物を捨てるのに便利で、しかもエコな愛玩動物の排泄物収集装置、及びこれに用いる複数の排泄物収集用袋の収納に便利な専用の排泄物収集袋収納容器に関する。
【背景技術】
【０００２】
多くの人がペットを飼うようになっており、飼い主らはペットを連れて散策しペットともっと仲良くなろうとしている様子を、我々はよく目にする。ところで、自分の面倒を見ることのできないペットは、排便の際はその場で用を足すことになる。ペットと言えども、排泄物は見た目にも悪く、不快な臭いがあり、環境衛生にも悪い影響を与えてしまう。
一般に、飼い主は、新聞、ティッシュ、ビニール袋、掃除用具などを携帯し、ペットの排泄物の処理を行っている。また、事業者からは、愛玩動物用の排泄物収集器具なども提供されている。
【考案の概要】
【考案が解決しようとする課題】
【０００３】
このように飼い主が新聞、ティッシュ、ビニール袋、掃除用具などを使ってペットの排泄物を処理することで、環境衛生への悪い影響は抑えられているものの、できることならば、排泄物が地面に落ちないうちに処理できることがより環境衛生上望ましいところ、現状ではこのような要求に応えることは難しい。
また、従来提供されている愛玩動物用の排泄物収集器具は、構造が複雑であること、簡単に損傷すること、コストが高いこと、効果がないこと、操作しにくいこと、排泄物を簡単に捨てることができないこと、携帯に便利でないことなどの問題があり、この器具が普遍的に使用されるまでには至っていない。
【０００４】
そこで、本考案は、このような従来の問題点に鑑み、構造が簡単で、損傷しにくく、低コストで、使用効果が高く、操作しやすく、排泄物を簡単に捨てられて、携帯に便利な愛玩動物の排泄物収集装置及びこれに用いる排泄物収集袋収納容器を提供することを目的とするものである。
【課題を解決するための手段】
【０００５】
上記問題点を解決し、上記目的を達成するために、本考案は、操作ロッド、及び前記操作ロッドの前側端に接合される愛玩動物用の収集袋を備える愛玩動物の排泄物収集装置において、前記操作ロッドは長い管で一端が前側端で、もう一端が前記前側端から離れる後側端であり、前記前側端は前記収集袋と連接するのに用いられて端部には前記収集袋のリング状フレームに突き出た挿入ロッドを挿入させるための差込穴が設けられ、前記後側端は操作者の持つ手持ち部と連接され、第一弾性片は前記操作ロッドの前記差込穴に内設され、当該第一弾性片は弾性のある斜め片で一端には固定片が延出され、且つ当該差込穴の内側壁に固定され、もう一端には導入される前記挿入ロッドを挟持するための挟持片が延出され、第二弾性片は前記操作ロッドの前記後側端の管内に設けられ、当該第二弾性片は弾性のある斜め片で一端には固定片が延出され、且つ管の内側壁に固定され、もう一端には押圧片が延出され、ボタンは前記操作ロッドの前記後側端に設けられて当該後側端に設けられる貫通穴を貫通し、当該ボタンの上端握り部が当該貫通穴に突き出て、下端柱部は当該貫通穴の下に内蔵され、且つ前記第二弾性片の前記押圧片と接合され、ケーブルは前記操作ロッドの管内に内蔵され、一端が前記第一弾性片の前記挟持片と連接され、もう一端が前記第二弾性片の前記押圧片と連接され、複数のケーブルガイドリングは前記操作ロッドの管内に内蔵され、且つ前記ケーブルを貫通させるために、対応する管の壁に交差するように設けられ、前記収集袋は袋部と、袋口に固定される前記リング状フレームから構成され、当該リング状フレームは突き出た前記挿入ロッドを備え、当該挿入ロッドが前記操作ロッドの前側端の前記差込穴に挿入されるように前記第一弾性片の前記挟持片に挟持される、ことを要旨とする。
【０００６】
この場合、前記操作ロッドの前記前側端には上下対称を呈する2つの第一弾性片が設けられ、前記ケーブルの一端には2つの引っ張るケーブルが二分割され、且つ当該引っ張るケーブルは2つの前記ケーブルガイドリングを貫通してから前記第一弾性片の前記挟持片と連接されることが望ましい。
前記操作ロッドの管内にケーブルガイドピースが内設され、当該ケーブルガイドピースの中央には、当該ケーブルの前記引っ張るケーブルに二分割される前に貫通する貫通穴が設けられることが望ましい。
前記収集袋の前記リング状フレームに突き出た前記挿入ロッドには、前記第一弾性片の前記挟持片に導入されて固定されるための位置決めリング状溝が設けられることが望ましい。
前記第一弾性片の前記挟持片にはさらに前記位置決めリング状溝に係入するための保持部が設けられることが望ましい。
前記収集袋の前記袋部は生分解性プラスチックポリ乳酸からなる袋、自己分解性を持つ紙袋などの上述のいずれか一つであることが望ましい。
前記収集袋の前記リング状フレームは愛玩動物が無理に開脚する必要のないオーバル形状であることが望ましい。
【０００７】
また、上記排泄物収集装置に用いる排泄物収集袋収納容器は、上記排泄物収集装置の収集袋を収納するための円筒形の容器において、複数の前記収集袋が重ねあって置くための樽形のものであり、当該樽形のものの内側壁には前記収集袋の前記リング状フレームを支持するためのリング状突起であるプラスチックリングが設けられ、当該プラスチックリングは一端が高めにもう一端が低めに斜めに設けられ、高い一端は前記樽形のものの上端辺縁との高さが同じであることを特徴とする収納容器である。
また、この排泄物収集袋収納容器は、上記排泄物収集装置の収集袋を収納するための円筒形の容器において、複数の前記収集袋が重ねあって置くための樽形のものであり、当該樽形のものの内側壁には縦方向の切り溝が設けられ、当該切り溝の下端が閉塞端に形成され、上端が開放性の切り口に形成され、当該切り口が前記樽形のものの上端辺縁に位置して前記収集袋の前記リング状フレームに突き出た前記挿入ロッドを前記切り溝に導入させるものとしてもよい。
【考案の効果】
【０００８】
以上の説明から明らかなように、本考案にあっては、従来の技術に比べて、次に列挙する機能、効果、作用が得られる。
（１）本考案の愛玩動物の排泄物収集装置では構造が簡単で、操作ロッドの前側端に収集袋の挿入ロッドを挿入させると簡単に両者を接合できるので、安定性が高くて携帯にも便利だけでなく、手軽にペットの後方向から排泄物を収集できることで、排泄物が地に落ちなく、操作者がペットを連れて散策する際にペットがその場で排便するのを心配する必要がなくなる。
（２）本考案では、操作者が収集袋を捨てる際にはボタンを押すだけで手軽に収集袋を操作ロッドから放してゴミ箱に落とせるので、操作者が手で収集袋を持つ必要がないため、安全で衛生的である。
（３）本考案では、愛玩動物用の収集袋の袋は、生分解性プラスチックポリ乳酸（PLA）からなる袋、自己分解性を持つ紙袋などの簡単に分解できる材質であり、適切な温度及び環境では自己分解ができるので、袋が自然環境に戻り、環境汚染は起こさない。
（４）本考案では、前記収集袋のリング状フレームがオーバル形状を呈するので、愛玩動物が無理に開脚する必要がないため、操作者が手軽にペットの排泄物の収集ができる。
（５）本考案では、収集袋を収納するための収納容器により、収集袋のリング状フレームに突き出た挿入ロッドが露出されることで、操作者が手軽に操作ロッドの前側端の差込穴に挿入ロッドを挿入できるので、本考案を操作することは便利且つ容易である。
【図面の簡単な説明】
【０００９】
【図１】本考案の一実施の形態における愛玩動物の排泄物収集装置の構成の特に要部を示す一部省略側面図
【図２】同排泄物収集装置の略全体の構成を示す一部省略側面図
【図３】同排泄物収集装置のボタン操作により操作ロッドから収集袋が離される動作を示す図
【図４】同排泄物収集装置の各種機能を示す図
【図５】同排泄物収集装置に用いる排泄物収集袋収納容器を示す斜視図
【図６】同収納容器の側面図
【図７】同排泄物収集装置に用いるまた別の排泄物収集袋収納容器を示す斜視図
【図８】同排泄物収集装置の操作ロッドと収集袋の接続構造を示す図
【考案を実施するための形態】
【００１０】
次に、この考案を実施するための形態について図を用いて説明する。図１及び図２に愛玩動物の排泄物収集装置の構成を示し、図３にこの排泄物収集装置の動作を示している。
図１及び図２に示すように、この排泄物収集装置は、操作ロッド１０と、この操作ロッド１０の前側端１１に取り付けられる愛玩動物用の排泄物収集袋２０とを備える。
【００１１】
操作ロッド１０は、所定の長さを有する長い管からなり、一端が前側端１１で前側端１１に排泄物収集袋２０の後述する挿入ロッド２２を挿入するための差込穴１３を有し、前側端１１から離れる後側端１２に操作者の持つ手持ち部１４が連接される。この操作ロッド１０には差込穴１３に第一弾性片３０、後側端１２の管内に第二弾性片４０、後側端１２にボタン５０、管内に複数のケーブルガイドリング７０及びケーブル６０がそれぞれ設けられる。
【００１２】
第一弾性片３０は操作ロッド１０の差込穴１３に内設される。この第一弾性片３０は弾性を有する斜め片で、一端に固定片３１が延出されてこの固定片３１が差込穴１３の内側壁に固定され、他端に差込穴１３に導入される排泄物収集袋２０の挿入ロッド２２を挟持するための挟持片３２が延出される。この場合、第一弾性片３０は操作ロッド１０の前側端１１に上下対称に２つ設けられる。このようにして収集袋２０の挿入ロッド２２がより安定的に挟持されるので、収集袋２０が操作ロッド１０の前に取り付けられた際に位置ずれ、揺れなどが発生しなくなる。
【００１３】
第二弾性片４０は操作ロッド１０の後側端１２の管内に設けられる。この第二弾性片４０は弾性を有する斜め片で、一端に固定片４１が延出されてこの固定片４１が管の内側壁に固定され、他端に押圧片４２が延出される。
【００１４】
ボタン５０は操作ロッド１０の後側端１２に設けられる。このボタン５０は上端握り部５１と下端柱部５２とからなり、下端柱部５２が後側端１２に設けられる貫通穴１５に貫通されて、上端握り部５１が貫通穴１５の上に突き出され、下端柱部５２が貫通穴１５の下に内蔵されて第二弾性片４０の押圧片４２と接合される。
【００１５】
複数のケーブルガイドリング７０は操作ロッド１０の管内に内蔵される。これらのケーブルガイドリング７０はそれぞれ、ケーブル６０を貫通させるために、管の互いに対向する壁に交互に設けられる。このケーブルガイドリング７０の機能としては、ケーブル６０をガイドとして、ボタン５０で操作する際にケーブル６０が第一弾性片３０を引っ張るという役割を果たす。
【００１６】
ケーブル６０は操作ロッド１０の管内に内蔵される。このケーブル６０はケーブルガイドリング７０を貫通されて、一端が第一弾性片３０の挟持片３２と連接され、他端が第二弾性片４０の押圧片４２と連接される。
この場合、ケーブル６０は一端が２つの引っ張りケーブル６１，６２に二分割され、これら２つの引っ張りケーブル６１，６２は２つのケーブルガイドリング７０を貫通して各第一弾性片３０，３０´の挟持片３２に連接される。また、２つの第一弾性片３０，３０´の動作を同期させるため、操作ロッド１０の管内に、ケーブル６０の引っ張りケーブル６１，６２に二分割される部分に近接する二分割されていない部分に対応して、中央に貫通穴１６１を有するケーブルガイドピース１６が内設され、ケーブルガイドピース１６の貫通穴１６１に、ケーブル６０の引っ張りケーブル６１，６２に二分割される部分に近接する二分割されていない部分が貫通される。このようにしてケーブル６０は一端が２つの第一弾性片３０，３０´の挟持片３２と接合され、他端が第二弾性片４０の押圧片４２と連接されて、使用者がボタン５０を押すと、２つの第一弾性片３０，３０´が同期制御される。
また、この場合、複数のケーブルガイドリング７０のうち、第一弾性片３０，３０´に最も近い２つのケーブルガイド７０は管内の上下に相互に対向して第一弾性片３０，３０´に垂直となるように設けられることが望ましく、このようにすることで、引張りケーブル６１，６２を垂直に引っ張って、第一弾性片３０，３０´を引っ張ることができる。しかしながら、操作ロッド１０の内部空間の狭さによる実施の利便性を考慮すると、図示のように斜めに設ける形式にしてもよい。
【００１７】
排泄物収集袋２０は、袋部２３と、袋部２３の袋口に固定されるリング状フレーム２１及びリング状フレーム２１から突出される挿入ロッド２２とからなる。この排泄物収集袋２０は挿入ロッド２２が操作ロッド１０の差込穴１３に挿入され、第一弾性片３０の挟持片３２に挟持されて、操作ロッド１０の前側端１１に取り付けられる。
この場合、排泄物収集袋２０のリング状フレーム２１から突き出された挿入ロッド２２に、この挿入ロッド２２を第一弾性片３０，３０´の挟持片３２に導入し固定するための位置決めリング状溝２４が設けられる。このようにして挿入ロッド２２を差込穴１３に挿入すると、挟持片３２が迅速に位置決めリング状溝２４に導入されて固定され、このときに、挿入ロッド２２を任意の角度で差込穴１３に挿入しても挿入ロッド２２は挟持片３２により導入されるので、挿入ロッド２２の挿入角度を心配する必要がない。そして、図３に示すように、操作者が指で操作ロッド１０の後側端１２のボタン５０を押すと、挟持片３２が開き、挿入ロッド２２が操作ロッド１０の差込穴１３から離脱可能となる。
また、この場合、図８に示すように、第一弾性片３０，３０´の挟持片３２に位置決めリング状溝２４に係合可能な保持部３３が設けられることが望ましい。この場合、挟持片３２と保持部３３は金属で形成され、一体化されることが好ましい。このようにすると、保持部３３が位置決めリング状溝２４に係入されたときに、カチャと音がするので、使用者は挿入ロッド２２と操作ロッド１０との位置決めの完了が分かりやすくなる。
また、この場合、自然環境にできるだけ負担をかけないために、排泄物収集袋２０の袋部２３は、生分解性プラスチックポリ乳酸（ＰＬＡ）からなる袋、又は自己分解性を有する紙袋など簡単に分解できる材質のものから選択的に採用される。このような材質のもので実施することにより、使用後の袋部２３は、適切な温度及び環境で自己分解され、袋が自然環境に戻り、環境汚染を起こすことがない。
さらに、この場合、排泄物収集袋２０のリング状フレーム２１は愛玩動物が無理に開脚する必要のないオーバル形状に形成される。このようにすることで、ペットは排便時に無理に開脚することがなく、ペットにとっては排便がしやすく、操作者にとってはペットの排泄物を手軽に収集することができる。
【００１８】
図５及び図６にこの排泄物収集装置に用いる複数の収集袋を簡単に収納するための排泄物収集袋収納容器を示している。図５及び図６に示すように、この排泄物収集袋収納容器は、複数の収集袋２０を重ねて配置可能に上面に開口を有する円筒形又は樽形に形成され、開口内の内側壁に、排泄物収集袋２０のリング状フレーム２１を支持するためのリング状突起をなすプラスチックリング８１が、相互に対向する位置の一方を開口縁部と同じ高さにして高く、他方を開口縁部の高さよりも低くして斜めに設けられる。
このようにして排泄物収集袋収納容器に斜めに設けられるプラスチックリング８１により、収集袋２０のリング状フレーム２１が支持され、リング状フレーム２１から突き出される挿入ロッド２２が開口の外に露出される。これにより、図４（Ａ）に示すように、操作者は操作ロッド１０の前側端の差込穴１３に挿入ロッド２２を手軽に挿入できるので、この排泄物収集装置の操作を容易に行え、この排泄物収集装置を便利に用いることができる。
【００１９】
図７及び図８にまた別の排泄物収集袋収納容器を示している。図７に示すように、この排泄物収集袋収納容器は、複数の収集袋２０を重ねて配置可能に上面に開口を有する円筒形又は樽形に形成され、周壁に、収集袋２０のリング状フレーム２１から突き出された挿入ロッド２２を導入するための切り溝９1が、開口の縁部を切り口９２として開放し、縦方向に、下端を閉塞端として形成される。
このようにして排泄物収集袋収納容器に収集袋２０が収納され、リング状フレーム２１から突き出される挿入ロッド２２が切り溝９１に導入されて、切り溝９１の外部に露出される。このようにしても、操作者は操作ロッド１０の前側端１１の差込穴１３に挿入ロッド２２を手軽に挿入できるので、この排泄物収集装置の操作を容易に行え、この排泄物収集装置を便利に用いることができる。
【００２０】
この排泄物収集装置及び排泄物収集袋収納容器は、以上の構成により、次のような機能を有する。
（１）この排泄物収集装置は既述のとおり構造が簡単で、図４（Ａ）に示すように、操作ロッド１０の前側端１１に収集袋２０の挿入ロッド２２を挿入するだけで簡単に両者を接合することができ、このようにすることで、安定性が高く、図４（Ｂ）に示すように、携帯にも便利であり、利便性及び操作のしやすさを兼ね備え、実用性がある。また、この排泄物収集装置によれば、図４（Ｃ）に示すように、ペットの後方向から排泄物を手軽に収集することができ、しかも、排泄物を地面に落とすことなく収集することができ、操作者はペットを連れて散策する際にペットがその場で排便しても何ら心配する必要がない。また、この場合、収集袋２０のリング状フレーム２１がオーバル形状を呈しているので、愛玩動物が無理に開脚する必要がなく、操作者は手軽にペットの排泄物を収集することができる。
（２）操作者は収集袋２０を捨てる際には、図４（Ｄ）に示すように、ボタン５０を押すだけで収集袋２０を操作ロッド１０から手軽に放してゴミ箱に落とすことができ、このようにすることで、操作者は手で収集袋２０を持つ必要がなく、安全で衛生的である。
（３）愛玩動物用の収集袋２０の袋部２３は、生分解性プラスチックポリ乳酸（ＰＬＡ）からなる袋、又は自己分解性を持つ紙袋など簡単に分解できる材質のものであり、適切な温度及び環境で自己分解できるので、袋が自然環境に戻り、環境汚染を起こすことがない。
（４）収集袋２０を収納容器に収納し、収集袋２０のリング状フレーム２１から突き出された挿入ロッド２２を容器外に露出するようにしたので、操作者は操作ロッド１０の前側端１１の差込穴１３に挿入ロッド２２を手軽に挿入することができ、この収集装置の操作を容易に行え、この収集装置を便利に用いることができる。
以上により、この排泄物収集装置及び排泄物収集袋収納容器によれば、所期の目的を達成することができる。
【００２１】
なお、以上の各実施の形態は、本考案の構造と、特徴及び作用効果を説明するために用いられるものであり、新規性や進歩性といった要件を満たしているため、法律の規定による実用新案登録出願を行う。また、上述では本考案の好ましい実施例を開示したに過ぎず、それを以って、本考案の実用新案登録請求の範囲が制限されることは無く、この分野の技術者が、本考案の実施の形態を理解したうえ、本考案の思想を逸脱することなく種々の改造やそれと同じ置き換えを行っても、それはすべて本考案の範囲に含まれるものである。
【符号の説明】
【００２２】
１０  操作ロッド
１１  前側端
１２  後側端
１３  差込穴
１４  手持ち部
１５  貫通穴
１６  ケーブルガイドピース
１６１  貫通穴
２０  収集袋
２１  リング状フレーム
２２  挿入ロッド
２３  袋部
２４  位置決めリング状溝
３０  第一弾性片
３０´  第一弾性片
３１  固定片
３２  挟持片
３３  保持部
４０  第二弾性片
４１  固定片
４２  押圧片
５０  ボタン
５１  握り部
５２  柱部
６０  ケーブル
６１  引っ張るケーブル
６２  引っ張るケーブル
７０  ケーブルガイドリング
８０  樽形のもの
８１  プラスチックリング
９０  樽形のもの
９１  切り溝
９２  切り口
【図１】
0003185268.tif 000003
【図２】
0003185268.tif 000004
【図３】
0003185268.tif 000005
【図４】
0003185268.tif 000006
【図５】
0003185268.tif 000007
【図６】
0003185268.tif 000008
【図７】
0003185268.tif 000009
【図８】
0003185268.tif 000010